(57)【特許請求の範囲】
【請求項１】
金属箔の一側全面をマスキングすると共に、他側面にエッチングによる複数の穿孔を形成するための除去箇所を開放してマスキングし、このように形成した複数枚の金属箔の側面に、前記穿孔を形成するための除去箇所を挟んで所定の間隔を隔てて接着剤を塗布または印刷した後、積層させて金属箔の積層ブロックを形成し、この積層ブロックを展張させてハニカムブロックを形成し、このハニカムブロックにエッチングを施して前記除去箇所に複数の穿孔を形成し、その後、マスキングに使用したレジストの除去作業工程を省略する自動車衝突試験に用いるハニカム緩衝装置の製造方法。
【請求項２】
金属箔の一側面および他側面にエッチングによる複数の穿孔を形成するための除去箇所を開放してマスキングし、このように形成した複数枚の金属箔の側面に、前記穿孔を形成するための除去箇所を挟んで所定の間隔を隔てて接着剤を塗布または印刷した後、積層させて金属箔の積層ブロックを形成し、この積層ブロックを展張させてハニカムブロックを形成し、このハニカムブロックにエッチングを施して前記除去箇所に複数の穿孔を形成し、その後、マスキングに使用したレジストの除去作業工程を省略する自動車衝突試験に用いるハニカム緩衝装置の製造方法。
【請求項３】
金属箔の一側全面をマスキングすると共に、他側面にエッチングによる複数の穿孔を形成するための除去箇所を開放してマスキングし、このように形成した複数枚の金属箔にエッチングを施して前記除去箇所に複数の穿孔を形成し、このように形成した複数枚の金属箔の側面に、前記穿孔を挟んで所定の間隔を隔てて接着剤を塗布または印刷した後、積層させて金属箔の積層ブロックを形成し、この積層ブロックを展張させてハニカムブロックを形成し、その後、マスキングに使用したレジストの除去作業工程を省略する自動車衝突試験に用いるハニカム緩衝装置の製造方法。
【請求項４】
金属箔の一側面および他側面にエッチングによる複数の穿孔を形成するための除去箇所を開放してマスキングし、このように形成した複数枚の金属箔にエッチングを施して前記除去箇所に複数の穿孔を形成し、このように形成した複数枚の金属箔の側面に、前記穿孔を挟んで所定の間隔を隔てて接着剤を塗布または印刷した後、積層させて金属箔の積層ブロックを形成し、この積層ブロックを展張させてハニカムブロックを形成し、その後、マスキングに使用したレジストの除去作業工程を省略する自動車衝突試験に用いるハニカム緩衝装置の製造方法。
【発明の詳細な説明】
【０００１】
【発明の属する技術分野】
この発明は、金属箔を用いたハニカム緩衝装置の製造方法にかかわり、更に詳しくはハニカムブロックのセル壁に任意の形状の穿孔を、短時間に効率良く成形するハニカム緩衝装置の製造方法に関するものである。
【０００２】
【従来の技術】
従来、自動車の衝突試験部材や衝撃吸収部材として、積層させたハニカムブロックを使用することが知られている。
【０００３】
ところで、上記のような積層ハニカムブロックを自動車の側面衝突試験用として用いる場合には、法規で定められた特性を満足する必要がある。またその特性は自動車の前面剛性を想定したもので、変形量の増加に伴い荷重も増加すると言うものである。
【０００４】
更に、任意の変形量に対して荷重の上下限値が設定されており、その範囲に荷重を入れることが要求されている。
【０００５】
【発明が解決しようとする課題】
従来緩衝装置として使用されている積層ハニカムブロックとしては、例えば、図３に示すように、前後面にセルの開口部１ａを備えた複数のハニカムブロック１の間に、金属板等から成る中間板２を介在させ、該中間板２には、ハニカムブロック１の内部と外部との通気性を確保するために多数の通気孔３が形成されている。
【０００６】
また、この他に図４に示すように、通気孔３が全く無い中間板２ａを介在させたものも知られている。
【０００７】
然しながら、このような通気孔３を備えた中間板２または通気孔３が全く無い中間板２ａを用いた積層ハニカムブロック１の荷重特性は、図５（ａ）の（Ａ）線図に示すように段階状の荷重増加を示し、直線的に荷重増加を示す要求範囲を満足するような特性を得ることが難しいと言う問題があった。
【０００８】
また、自動車衝突試験等に用いる金属ハニカムは、その緩衝特性（反力特性）を調整するために、例えば、図６（ａ），（ｂ）に示すように、ハニカムブロック１を複数の層に積層させて組み立て、金属ハニカムの強度を段階的（Ａ）に変化させる方法が知られている。
【０００９】
然しながら、より連続的に強度を変化させるには、一層の高さを低くし積層段数を増やす必要があり、構造が複雑になると言う問題があった。
【００１０】
そこで、本願発明者等は鋭意研究の結果、ハニカムブロックの肉厚や箔厚を軸方向に沿って変化させたり、ハニカムブロックのセルの側面に貫通孔を設けてハニカムブロックの強度を軸方向に沿って変化させ、また軸方向に沿ってハニカムブロックの強度を段階的または連続的に変化させることで、ハニカムブロックの強度を任意に設計出来る緩衝装置を提案している（特開2000-274472 号公報) 。
【００１１】
この発明の目的は、ハニカムブロックのセル壁の長手方向に複数の穿孔を形成して軸方向の強度を形成する際、その穿孔を容易にかつ短時間に形成でき、更に任意の形状の穿孔を形成することが出来るハニカム緩衝装置の製造方法を提供することにある。
【００１２】
【課題を解決するための手段】
上記目的を達成するため、本発明の自動車衝突試験に用いるハニカム緩衝装置の製造方法は、金属箔の一側全面をマスキングすると共に、他側面にエッチングによる複数の穿孔を形成するための除去箇所を開放してマスキングし、このように形成した複数枚の金属箔の側面に、前記穿孔を形成するための除去箇所を挟んで所定の間隔を隔てて接着剤を塗布または印刷した後、積層させて金属箔の積層ブロックを形成し、この積層ブロックを展張させてハニカムブロックを形成し、このハニカムブロックにエッチングを施して前記除去箇所に複数の穿孔を形成し、その後、マスキングに使用したレジストの除去作業工程を省略することを要旨とするものである。
【００１３】
また、本発明の別の自動車衝突試験に用いるハニカム緩衝装置の製造方法は、金属箔の一側面および他側面にエッチングによる複数の穿孔を形成するための除去箇所を開放してマスキングし、このように形成した複数枚の金属箔の側面に、前記穿孔を形成するための除去箇所を挟んで所定の間隔を隔てて接着剤を塗布または印刷した後、積層させて金属箔の積層ブロックを形成し、この積層ブロックを展張させてハニカムブロックを形成し、このハニカムブロックにエッチングを施して前記除去箇所に複数の穿孔を形成し、その後、マスキングに使用したレジストの除去作業工程を省略することを要旨とする。
【００１４】
また、本発明の別の自動車衝突試験に用いるハニカム緩衝装置の製造方法は、金属箔の一側全面をマスキングすると共に、他側面にエッチングによる複数の穿孔を形成するための除去箇所を開放してマスキングし、このように形成した複数枚の金属箔にエッチングを施して前記除去箇所に複数の穿孔を形成し、このように形成した複数枚の金属箔の側面に、前記穿孔を挟んで所定の間隔を隔てて接着剤を塗布または印刷した後、積層させて金属箔の積層ブロックを形成し、この積層ブロックを展張させてハニカムブロックを形成し、その後、マスキングに使用したレジストの除去作業工程を省略することを要旨とするものである。
【００１５】
また、本発明の別の自動車衝突試験に用いるハニカム緩衝装置の製造方法は、金属箔の一側面および他側面にエッチングによる複数の穿孔を形成するための除去箇所を開放してマスキングし、このように形成した複数枚の金属箔にエッチングを施して前記除去箇所に複数の穿孔を形成し、このように形成した複数枚の金属箔の側面に、前記穿孔を挟んで所定の間隔を隔てて接着剤を塗布または印刷した後、積層させて金属箔の積層ブロックを形成し、この積層ブロックを展張させてハニカムブロックを形成し、その後、マスキングに使用したレジストの除去作業工程を省略することを要旨とする。
【００１６】
本発明は、上記のように構成されるので、ハニカムブロックのセル壁の長手方向に複数の穿孔を形成して軸方向の強度を形成する際、その穿孔を機械的に容易にかつ短時間に形成でき、更に任意の形状の穿孔を形成することが出来るものである。
【００１７】
【発明の実施の形態】
以下、添付図面に基づきこの発明の実施の形態を説明する。
【００１８】
図１（ａ）〜（ｆ）は、ハニカム緩衝装置の製造工程図を示し、このハニカム緩衝装置は、以下の工程により製造するものである。
【００１９】
即ち、図１（ａ）に示すように、金属箔１０の一側全面（図示省略）を、レジスト印刷等でマスキングすると共に、他側面１０ａにエッチングによる複数の穿孔１１を形成するための除去箇所１２を開放してレジスト印刷等でマスキングする。
【００２０】
そして、このように形成した複数枚の金属箔１０の側面に、前記穿孔１１を形成するための除去箇所１２を挟んで所定の間隔を隔てて図１（ｂ）に示すように、接着剤１３を塗布または印刷し、その後、図１（ｃ）に示すように、金属箔１０を積層させて金属箔の積層ブロック１４を形成する。
【００２１】
そして、この積層ブロック１４の側面を、図１（ｄ）に示すように矢印方向Ｘに展張させてハニカムブロック１５を形成し、このハニカムブロック１５にエッチングを施し、図１（ｅ）に示すように、前記除去箇所１２に複数の穿孔１１を形成するものである。
【００２２】
なお、穿孔１１は、この実施形態では、円形であるが、多角形状等のあらゆる形態に形成することが出来、また大きさも任意に設定したり、組み合わせて形成することも可能である。
【００２３】
そして、上記のようにハニカムブロック１５にエッチングを施して前記除去箇所に複数の穿孔１１を形成した後、洗浄及びレジスト除去を行って、図１（ｆ）に示すようにハニカムブロックの緩衝装置を製造するものである。
【００２４】
なお、本発明の第１実施形態では、ハニカムブロック１５にエッチングを施して前記除去箇所に複数の穿孔１１を形成した後、レジスト除去を行わず、ハニカムブロックの緩衝装置とする。
【００２５】
本発明の場合、レジスト除去作業の工程を省略出来るので、作業性を向上させることが可能である。
【００２６】
また、上記の実施形態では、金属箔１０の一側全面を、レジスト印刷等でマスキングすると共に、他側面１０ａにエッチングによる複数の穿孔１１を形成するための除去箇所１２を開放してレジスト印刷等でマスキングを施す方法について説明しているが、金属箔１０の表裏面の全面を、エッチングによる複数の穿孔１１を形成するための除去箇所１２を開放してレジスト印刷等でマスキングを施すことも可能である。
【００２７】
この場合、上記の第１実施形態は金属箔１０の表面と裏面をそれぞれ異なったマスキング作業を行うのを省略でき、作業性が向上する。
【００２８】
次に、図２（ａ）〜（ｅ）は、ハニカム緩衝装置の別の製造工程図を示し、このハニカム緩衝装置は、以下の工程により製造するものである。
【００２９】
即ち、図２（ａ）に示すように、金属箔１０の一側全面（図示せず）を、レジスト印刷等でマスキングすると共に、他側面１０ａにエッチングによる複数の穿孔１１を形成するための除去箇所１２を開放してレジスト印刷等でマスキングする。
【００３０】
そして、このように形成した複数枚の金属箔１０にエッチングを施して前記除去箇所１２に図２（ｂ）に示すように、複数の穿孔１１を形成する。
【００３１】
その後、図２（ｃ）に示すように、複数枚の金属箔１０の側面に、前記穿孔１１を挟んで所定の間隔を隔てて接着剤１３を塗布または印刷した後、図２（ｄ）に示すように、金属箔１０を積層させて金属箔の積層ブロック１４を形成する。
【００３２】
そして、この積層ブロック１４の側面を、図２（ｅ）に示すように矢印方向Ｘに展張させてハニカムブロック１５を形成し、その後、洗浄及びレジスト除去を行って、ハニカムブロックの緩衝装置を製造するものである。
【００３３】
なお、穿孔１１は、この形態では、円形であるが、多角形状等のあらゆる形態に形成することが出来、また大きさも任意に設定したり、組み合わせて形成することも可能である。
【００３４】
なお、本発明の第２実施形態では、ハニカムブロック１５の製造後にレジスト除去を行わず、ハニカムブロックの緩衝装置とする。本発明の場合、レジスト除去作業の工程を省略出来るので、作業性を向上させることが可能である。
【００３５】
また、上記の実施形態では、金属箔１０の一側全面を、レジスト印刷等でマスキングすると共に、他側面１０ａにエッチングによる複数の穿孔１１を形成するための除去箇所１２を開放してレジスト印刷等でマスキングを施す方法について説明しているが、金属箔１０の表裏面の全面を、エッチングによる複数の穿孔１１を形成するための除去箇所１２を開放してレジスト印刷等でマスキングを施すことも可能である。
【００３６】
この場合、上記第２実施形態は、金属箔１０の表面と裏面をそれぞれ異なったマスキング作業を行うのを省略でき、作業性が向上する。
【００３７】
この発明では、上記のような各実施形態により、ハニカムブロックの緩衝装置を製造するので、ハニカムブロックのセル壁の長手方向に複数の穿孔を形成して軸方向の強度を形成する際、その穿孔１１を機械的に容易にかつ短時間に形成でき、更に任意の形状の穿孔１１を形成することが出来るものである。
【００３８】
【発明の効果】
この発明は、上記のように構成したので、以下のような優れた効果を奏するものである。
（１）ハニカムブロックのセル壁の長手方向に複数の穿孔を形成して軸方向の強度を形成する際、その穿孔を機械的に容易にかつ短時間に形成できる。
（２）任意の形状の穿孔を形成することが出来る。
（３）また穿孔を任意の大きさや面積で長手方向に沿って形成することで、ハニカムブロックの強度または衝撃荷重を軸方向に沿って段階的または連続的に変化させることも可能となる。
【図面の簡単な説明】
【図１】（ａ）〜（ｆ）は、ハニカム緩衝装置の製造工程図である。
【図２】（ａ）〜（ｅ）は、ハニカム緩衝装置の別の製造工程図である。
【図３】従来の積層ハニカムブロックの緩衝装置の分解斜視図である。
【図４】従来の積層ハニカムブロックの緩衝装置の分解斜視図である。
【図５】（ａ），（ｂ）は、この発明の緩衝装置と従来の緩衝装置との荷重特性を比較したグラフ説明図である。
【図６】（ａ）は、従来の金属ハニカムとして、その緩衝特性（反力特性）を調整するために、ハニカムブロックを複数の層に積層させて組み立てたハニカムブロックの正面図、（ｂ）は、（ａ）の積層ハニカムブロックの荷重と変位の関係を示すグラフ説明図である。
【符号の説明】
１０  金属箔
１０ａ  金属箔の他側面
１１  穿孔
１２  除去箇所
１３  接着剤
１４  積層ブロック
１５  ハニカムブロック
【図１】
0004407076.tif 000002
【図２】
0004407076.tif 000003
【図３】
0004407076.tif 000004
【図４】
0004407076.tif 000005
【図５】
0004407076.tif 000006
【図６】
0004407076.tif 000007